(57)【要約】【課題】要求されるチャネル数に合わせて、チャネルの数を自由に調整することができる光レセプタクルを提供する。【解決手段】光レセプタクルは、第１光学面、第２光学面、第１嵌合部および第２嵌合部を有する。第１光学面は、光電変換素子から出射された第１出射光を入射させる。第２光学面は、第１光学面で入射し、光レセプタクルの内部を通った第１出射光を光伝送体の端面に向けて出射させる。第１嵌合部は、第１光学面が形成されている面および第２光学面が形成されている面とは異なる第１側面に配置されている。第２嵌合部は、第１出射光または第２出射光の光路を挟んで第１側面と対向する第２側面に配置されており、第１勘合部と勘合可能な形状を有する。【選択図】図３
2017161579.tif 000002
【特許請求の範囲】
【請求項１】
１または２以上の光電変換素子と、１または２以上の光伝送体との間に配置され、前記１または２以上の光電変換素子と前記１または２以上の光伝送体の端面とを光学的に結合するための光レセプタクルであって、
前記光電変換素子から出射された第１出射光を入射させるか、前記光伝送体の端面から出射され、前記光レセプタクルの内部を通った第２出射光を前記光電変換素子に向けて出射させる１または２以上の第１光学面と、
前記第１光学面で入射し、前記光レセプタクルの内部を通った前記第１出射光を前記光伝送体の端面に向けて出射させるか、前記光伝送体の端面から出射された前記第２出射光を入射させる１または２以上の第２光学面と、
前記第１光学面が形成されている面および前記第２光学面が形成されている面とは異なる第１側面に配置されている１または２以上の第１嵌合部と、
前記第１出射光または前記第２出射光の光路を挟んで前記第１側面と対向する第２側面に配置されており、前記１または２以上の第１勘合部と勘合可能な形状を有する１または２以上の第２嵌合部と、
を有する、光レセプタクル。
【請求項２】
前記光レセプタクルの材料は、樹脂である、請求項１に記載の光レセプタクル。
【請求項３】
前記第１光学面および前記第２光学面の数は、それぞれ４個である、請求項１または請求項２に記載の光レセプタクル。
【請求項４】
前記第１光学面および前記第２光学面の数は、それぞれ１２個である、請求項１または請求項２に記載の光レセプタクル。
【請求項５】
前記第１光学面で入射した前記第１出射光を前記第２光学面に向けて反射させるか、前記第２光学面で入射した前記第２出射光を前記第１光学面に向けて反射させる反射面をさらに有する、請求項１〜４のいずれか一項に記載の光レセプタクル。
【請求項６】
前記反射面は、前記光レセプタクルに形成された凹部の内面の一部であり、
前記凹部は、前記第１側面および前記第２側面において外部に開口している、
請求項５に記載の光レセプタクル。
【請求項７】
基板と、
前記基板上に配置された１または２以上の光電変換素子と、
前記第１光学面が前記光電変換素子と対向するように前記基板上に配置されている、複数の請求項１〜６のいずれか一項に記載の光レセプタクルと、
を有し、
前記複数の光レセプタクルは、互いに隣接している前記第１勘合部および前記第２勘合部が勘合されることで互いに連結されている、
光モジュール。
【発明の詳細な説明】
【技術分野】
【０００１】
本発明は、光レセプタクルと、当該光レセプタクルを有する光モジュールとに関する。
【背景技術】
【０００２】
従来、光ファイバーや光導波路などの光伝送体を用いた光通信には、面発光レーザー（例えば、ＶＣＳＥＬ：Vertical Cavity Surface Emitting Laser）などの発光素子を備えた光モジュールが使用されている。光モジュールは、発光素子から出射された通信情報を含む光を、光伝送体の端面に入射させる光レセプタクルを有する。
【０００３】
近年、光ファイバーを用いた光通信用の光モジュールでは、通信速度の増加にともない多芯化の傾向がある。そこで、通信情報を含む複数の光を同時に送受信するための複数のチャネルを有する光レセプタクルが使用されている（例えば、特許文献１参照）。
【０００４】
特許文献１に記載の光レセプタクルは、発光素子から出射された光を入射させる複数の第１光学面と、当該第１光学面で光レセプタクル内に入射した光を反射する全反射面と、当該全反射面で反射された光を光伝送体の端面に向けて出射させる複数の第２光学面と、を有する。特許文献１に記載の光レセプタクルは、複数の光電変換素子と複数の光伝送体の端面とを光学的に結合することができる。また、特許文献１に記載の光レセプタクルは、熱可塑性の透明樹脂を用いた射出成形により一体成形されうる。具体的には、特許文献１に記載の光レセプタクルは、金型のキャビティーに熱可塑性の透明樹脂を流し込んで、冷却させて固化させた後、光レセプタクルを離型することで製造されうる。
【先行技術文献】
【特許文献】
【０００５】
【特許文献１】特開２００９−１６３２１２号公報
【発明の概要】
【発明が解決しようとする課題】
【０００６】
しかしながら、特許文献１に記載の光レセプタクルでは、さらなる多芯化が要求された場合に、金型から新たに製造しなければならず、金型の製造時間および製造コストが増大するという問題がある。また、チャネル数が１２を超える光レセプタクルは十分に標準化されておらず、その種類も少ない。また、今後、要求されるチャネル数がどこまで増加するかわからない。
【０００７】
本発明は、かかる点に鑑みてなされたものであり、要求されるチャネル数に合わせて、チャネルの数を自由に調整することができる光レセプタクルを提供することを目的とする。また、また、本発明の目的は、当該光レセプタクルを有する光モジュールを提供することも目的とする。
【課題を解決するための手段】
【０００８】
本発明に係る光レセプタクルは、１または２以上の光電変換素子と、１または２以上の光伝送体との間に配置され、前記１または２以上の光電変換素子と前記１または２以上の光伝送体の端面とを光学的に結合するための光レセプタクルであって、前記光電変換素子から出射された第１出射光を入射させるか、前記光伝送体の端面から出射され、前記光レセプタクルの内部を通った第２出射光を前記光電変換素子に向けて出射させる１または２以上の第１光学面と、前記第１光学面で入射し、前記光レセプタクルの内部を通った前記第１出射光を前記光伝送体の端面に向けて出射させるか、前記光伝送体の端面から出射された前記第２出射光を入射させる１または２以上の第２光学面と、前記第１光学面が形成されている面および前記第２光学面が形成されている面とは異なる第１側面に配置されている１または２以上の第１嵌合部と、前記第１出射光または前記第２出射光の光路を挟んで前記第１側面と対向する第２側面に配置されており、前記１または２以上の第１勘合部と勘合可能な形状を有する１または２以上の第２嵌合部と、を有する。
【０００９】
本発明に係る光モジュールは、基板と、前記基板上に配置された１または２以上の光電変換素子と、前記第１光学面が前記光電変換素子と対向するように前記基板上に配置されている、複数の本発明に係る光レセプタクルと、を有し、前記複数の光レセプタクルは、互いに隣接している前記第１勘合部および前記第２勘合部が勘合されることで互いに連結されている。
【発明の効果】
【００１０】
本発明によれば、要求されるチャネルの数に応じて、光レセプタクルおよび光モジュールのチャネルの数を自由に増減させることができる。要求されるチャネルの数に応じて、金型を新たに製造する必要がないため、金型の製造時間および製造コストが増加することがない。
【図面の簡単な説明】
【００１１】
【図１】図１は、実施の形態に係る光モジュールの構成を模式的に示す断面図である。
【図２】図２Ａ〜Ｆは、実施の形態に係る光レセプタクルの構成を示す図である。
【図３】図３は、第１勘合部および第２勘合部の配置を説明するための模式図である。
【図４】図４Ａ〜Ｆは、本実施の形態の変形例１に係る光レセプタクルの構成を示す図である。
【発明を実施するための形態】
【００１２】
以下、本発明に係る実施の形態について、図面を参照して詳細に説明する。
【００１３】
［光モジュールの構成］
図１は、本発明の実施の形態に係る光モジュール１００の構成を模式的に示す断面図である。図１では、光レセプタクル１２０内の光路を示すために光レセプタクル１２０の断面へのハッチングを省略している。また、図１において、一点鎖線は光の光軸を示しており、破線は光の外径を示している。
【００１４】
図１に示されるように、光モジュール１００は、光電変換装置１１０および複数の光レセプタクル１２０を有する。本実施の形態に係る光モジュール１００は、送信用の光モジュールである。光モジュール１００は、光レセプタクル１２０に複数の光伝送体１３０が接続された状態で使用される。
【００１５】
光電変換装置１１０は、基板１１１および複数の光電変換素子１１２を有する。
【００１６】
基板１１１は、光電変換素子１１２を保持する。基板１１１は、例えば、ガラスコンポジット基板やガラスエポキシ基板、フレキブシル基板などである。
【００１７】
光電変換素子１１２は、基板１１１上に配置されている。本実施の形態に係る光モジュール１００では、光電変換素子１１２として、発光素子が基板１１１上に配置されている。本実施の形態では、図１の紙面に垂直な方向に沿って、複数の発光素子が同一直線上に配列されている。
【００１８】
発光素子は、基板１１１の表面に対して垂直な方向にレーザー光を出射する。より具体的には、発光素子は、光電変換面（発光面）からレーザー光を出射する。発光素子の数および位置は、特に限定されず、用途に応じて適宜変更されうる。本実施の形態では、複数の光レセプタクル１２０のうち、１つ当りの光レセプタクル１２０に対応する発光素子の数は、４個である。発光素子は、例えば、垂直共振器面発光レーザー（ＶＣＳＥＬ）である。
【００１９】
光レセプタクル１２０は、光電変換素子１１２と光伝送体１３０との間に配置された状態で、光電変換素子１１２と光伝送体１３０の端面とを光学的に結合させる。光レセプタクル１２０は、光電変換素子１１２（発光素子）から出射された第１出射光Ｌ１を光伝送体１３０の端面に向けて出射する。光レセプタクル１２０の数は、複数であれば特に限定されず、用途に応じて適宜されうる。本実施の形態では、複数の光レセプタクル１２０のうち、１つ当りの光レセプタクル１２０に対応する光伝送体１３０の数は、４個である。
【００２０】
光電変換装置１１０および光レセプタクル１２０は、接着剤（例えば、熱／紫外線硬化性樹脂）などの公知の固定手段によって互いに固定される。
【００２１】
光伝送体１３０は、多芯一括型のコネクター内に収容された状態で公知の取付手段を介して光レセプタクル１２０に取り付けられる。光伝送体１３０の種類は、特に限定されない。光伝送体１３０の種類の例には、光ファイバーや光導波路などが含まれる。本実施の形態では、光伝送体１３０は、光ファイバーである。また、光ファイバーは、シングルモード方式であってもよいし、マルチモード方式であってもよい。光伝送体１３０の数は、特に限定されず、用途に応じて適宜変更されうる。本実施の形態では、図１の紙面に垂直な方向に沿って、複数の光伝送体１３０が同一直線上に配列される。
【００２２】
［光レセプタクルの構成］
図２Ａ〜Ｆは、本実施の形態に係る光レセプタクル１２０の構成を示す図である。図２Ａは、光レセプタクル１２０の平面図であり、図２Ｂは、底面図であり、図２Ｃは、正面図であり、図２Ｄは、背面図であり、図２Ｅは、左側面図であり、図２Ｆは、右側面図である。なお、以下の説明では、光伝送体１３０が接続される側の面を光レセプタクル１２０の「正面」として説明する。なお、前述のとおり、本実施の形態に係る光モジュール１００は、複数の光レセプタクル１２０を有するが、複数の光レセプタクル１２０を構成する光レセプタクル１２０の形状は互いに同一である。そこで、以下の説明では、複数の光レセプタクル１２０のうち、１つの光レセプタクル１２０について説明する。
【００２３】
図１および図２Ａ〜Ｆに示されるように、光レセプタクル１２０は、略直方体形状の部材である。本実施の形態では、光レセプタクル１２０の底面には、角柱形状の第１凹部１２０１が形成されている。光レセプタクル１２０の天面には、略五角柱形状の第２凹部１２０２が形成されている。
【００２４】
光レセプタクル１２０は、光通信に用いられる波長の光に対して透光性を有する材料を用いて形成される。そのような材料の例には、ポリエーテルイミド（ＰＥＩ）や環状オレフィン樹脂などの透明な樹脂が含まれる。また、光レセプタクル１２０の製造方法は、特に限定されない。光レセプタクル１２０は、例えば射出成形法により製造される。
【００２５】
なお、光モジュール１００を構成する複数の光レセプタクル１２０の材料は、互いに同じであることが好ましい。これにより、複数の光レセプタクル１２０の線形膨張係数が互いに同じとなり、高温下において光モジュール１００を使用する場合であっても、形状精度の低下を抑えることができる。
【００２６】
光レセプタクル１２０は、第１光学面１２１、反射面１２２、第２光学面１２３、第１嵌合部１２４および第２嵌合部１２５を有する。本実施の形態では、第１光学面１２１および第２光学面１２３の数は、それぞれ４個である。
【００２７】
第１光学面１２１は、光電変換素子（発光素子）１１２から出射された第１出射光Ｌ１を光レセプタクル１２０内に入射させる。このとき、第１光学面１２１は、光電変換素子１１２の光電変換面から出射された第１出射光Ｌ１を屈折させながら光レセプタクル１２０内に入射させて、コリメート光に変換させる。
【００２８】
第１光学面１２１の数は、特に限定されず、用途に応じて適宜選択されうる。本実施の形態では、第１光学面１２１の数は、４個である。４個の第１光学面１２１は、光レセプタクル１２０の底面において、４個の光電変換素子１１２とそれぞれ対向するように配置されている。本実施の形態では、光レセプタクル１２０の裏側（底面）に設けられた第１凹部１２０１の底面に、４個の第１光学面１２１が光レセプタクル１２０の短辺方向に沿って一列に配置されている。
【００２９】
第１光学面１２１の形状は、特に限定されず、平面であってもよいし、曲面であってもよい。本実施の形態では、第１光学面１２１は、光電変換素子１１２に向かって凸状の凸レンズ面である。また、第１光学面１２１の平面視形状は、円形状である。第１光学面１２１の中心軸は、光電変換素子１１２の光電変換面（および基板１１１の表面）に対して垂直であることが好ましい。また、第１光学面１２１の中心軸は、光電変換素子１１２（発光素子）から出射された第１出射光Ｌ１の光軸と一致していることが好ましい。本実施の形態では、第１光学面１２１の中心軸と、第１出射光Ｌ１の光軸とは、一致している。
【００３０】
反射面１２２は、第１光学面１２１で光レセプタクル１２０内に入射した第１出射光Ｌ１を第２光学面１２３に向けて反射させる。
【００３１】
反射面１２２は、光レセプタクル１２０の天面に形成された第２凹部１２０２の内面の一部を構成している。反射面１２２は、光レセプタクル１２０の底面から天面に向かうにつれて、第２光学面１２３（光レセプタクル１２０の正面）に近づくように傾斜している。反射面１２２の傾斜角度は、特に限定されない。本実施の形態では、反射面１２２の傾斜角度は、反射面１２２に入射する光（本実施の形態では、第１出射光Ｌ１）の光軸に対して４５°である。反射面１２２の形状は、特に限定されない。本実施の形態では、反射面１２２の形状は、平面である。反射面１２２には、第１入射光（出射光Ｌ１）が、臨界角より大きな入射角で入射する。
【００３２】
第２光学面１２３は、第１光学面１２１で入射し、光レセプタクル１２０の内部を通った第１出射光Ｌ１を光伝送体１３０の端面に向けて出射させる。このとき、第２光学面１２３は、第１出射光Ｌ１を収束させつつ、光伝送体１３０の端面に向けて出射させる。
【００３３】
第２光学面１２３の数は、特に限定されず、用途に応じて適宜選択されうる。本実施の形態では、第２光学面１２３の数は、４個である。４個の第２光学面１２３は、光レセプタクル１２０の正面において、４個の光伝送体１３０の端面とそれぞれ対向するように配置されている。
【００３４】
第２光学面１２３の形状は、特に限定されず、平面であってもよいし、曲面であってもよい。本実施の形態では、第２光学面１２３の形状は、光伝送体１３０の端面に向かって凸状の凸レンズ面である。第２光学面１２３の平面視形状は、円形状である。第２光学面１２３の中心軸は、光伝送体１３０の端面に対して垂直であることが好ましい。
【００３５】
第１嵌合部１２４は、後述の第２嵌合部１２５に嵌合される。より具体的には、本実施の形態に係る光モジュール１００を構成する複数の光レセプタクル１２０のうち、互いに隣接している２つの光レセプタクル１２０の、一方の光レセプタクル１２０の第１勘合部１２４が他方の光レセプタクル１２０の第２勘合部１２５に勘合される。これにより、複数の光レセプタクル１２０は、互いに位置決めされつつ連結される。
【００３６】
図３は、第１勘合部１２４および後述の第２勘合部１２５の配置を説明するための模式図である。図３では、第１勘合部１２４および第２勘合部１２５が互いに勘合されることで、３つの光レセプタクル１２０が互いに連結される様子を示している。図３中の矢印は、第１勘合部１２４および第２勘合部１２５の嵌合方向を示している。
【００３７】
第１嵌合部１２４は、図３に示されるように、第１光学面１２１が形成されている面（本実施の形態では、底面）および第２光学面１２３が形成されている面（本実施の形態では、正面）とは異なる第１側面１２０３（本実施の形態では、左側面）のうちの、第２嵌合部１２５に対向する位置に配置されている。
【００３８】
第１嵌合部１２４の配置、形状、大きさ、および数は、光モジュール１００を構成する複数の光レセプタクル１２０が互いに適切に連結されるなら特に限定されず、第２嵌合部１２５の配置、形状、大きさ、および数にそれぞれ対応している。第１嵌合部１２４の形状は、第２嵌合部１２５と嵌合可能な形状であれば特に限定されず、例えば、凹形状または凸形状である。第１嵌合部１２４の平面視形状の例には、円形状、楕円形状、四角形状および多角形状が含まれる。本実施の形態では、第１嵌合部１２４は、２つの円柱形状の凸部である。
【００３９】
第２嵌合部１２５は、第１嵌合部１２４に嵌合される。より具体的には、本実施の形態に係る光モジュール１００を構成する複数の光レセプタクル１２０のうち、互いに隣接している２つの光レセプタクル１２０の、一方の光レセプタクル１２０の第２勘合部１２５が他方の光レセプタクル１２０の第１勘合部１２４に勘合される。これにより、複数の光レセプタクル１２０は、互いに位置決めされつつ連結される。
【００４０】
第２勘合部１２５は、図３に示されるように、第１出射光Ｌ１の光路を挟んで第１側面１２０３（本実施の形態では、左側面）と対向する第２側面１２０４（本実施の形態では、右側面）のうちの、第１勘合部１２４に対向する位置に配置されている。
【００４１】
第２嵌合部１２５の配置、形状、大きさ、および数は、光モジュール１００を構成する複数の光レセプタクル１２０が互いに適切に連結されるなら特に限定されず、第１嵌合部１２４の配置、形状、大きさ、および数にそれぞれ対応している。第２嵌合部１２５の形状は、第１嵌合部１２４と嵌合可能な形状であれば特に限定されず、例えば、凹形状または凸形状である。第２嵌合部１２５の平面視形状の例には、円形状、楕円形状、四角形状および多角形状が含まれる。本実施の形態では、第２嵌合部１２５は、２つの円柱形状の凹部である。
【００４２】
（光モジュールにおける光路）
次に、光モジュール１００における光路について説明する。
【００４３】
光電変換素子１１２（発光素子）から出射された第１出射光Ｌ１は、第１光学面１２１で光レセプタクル１２０内に入射する。このとき、第１出射光Ｌ１は、第１光学面１２１によってコリメート光に変換される。次いで、第１光学面１２１で光レセプタクル１２０内に入射した第１出射光Ｌ１は、反射面１２２で、第２光学面１２３に向けて反射する。第２光学面１２３に到達した第１出射光Ｌ１は、第２光学面１２３で光レセプタクル１２０外に出射され、光伝送体１３０の端面に到達する。
【００４４】
以上のように、本実施の形態に係る光レセプタクル１２０は、光電変換素子１１２と光伝送体１３０の端面とを光学的に適切に結合させることができる。
【００４５】
（効果）
本実施の形態に係る光レセプタクル１２０は、光レセプタクル１２０の両側面（第１側面１２０３および第２側面１２０４）において、互いに嵌合されうる第１勘合部１２４および第２勘合部１２５を有する。これにより、本実施の形態に係る光モジュール１００では、連結される光レセプタクル１２０の数を増減させることによって、要求されるチャネルの数に応じてチャネルの数を自由に増減させることができる。
【００４６】
また、樹脂製の光レセプタクル１２０を製造する場合、チャネルの数が増えるにつれて、金型の、光学面（第１光学面１２１、反射面１２２および第２光学面１２３）の形成に使用される部分の加工時間およびコストは増大していく。これに対して、本発明では、要求されるチャネルの数に応じて、光レセプタクル１２０用の金型を新たに製造する必要がないため、光レセプタクル１２０用の金型の製造時間および製造コストを削減することができる。
【００４７】
［変形例１］
上記実施の形態では、第１光学面１２１および第２光学面１２３の数がそれぞれ４個である光レセプタクル１２０について説明したが、本発明に係る光レセプタクルの第１光学面１２１および第２光学面１２３の数は、１または２以上であればよく、上記の態様に限定されない。
【００４８】
図４Ａ〜Ｆは、本実施の形態の変形例１に係る光レセプタクル１２０’の構成を示す図である。図４Ａは、光レセプタクル１２０’の平面図であり、図４Ｂは、底面図であり、図４Ｃは、正面図であり、図４Ｄは、背面図であり、図４Ｅは、左側面図であり、図４Ｆは、右側面図である。変形例１に係る光レセプタクル１２０’のように、第１光学面１２１および第２光学面１２３の数は、それぞれ１２個であってもよい。
【００４９】
また、変形例１に係る光レセプタクル１２０’の天面には、略五角柱形状の第２凹部１２０２’（特許請求の範囲では、「凹部」と称している）が形成されている。第２凹部１２０２’は、第１側面１２０３および第２側面１２０４において外部に開口している。この場合、反射面１２２は、第１側面１２０３および第２側面１２０４の間の全部に亘って配置されうるため、第１光学面１２１および第３光学面１２３も第１側面１２０３および第２側面１２０４の間の全部に亘って配置されうる。したがって、複数の光レセプタクル１２０’が互いに連結されたときに、連結部分の近傍においても第１光学面１２１および第３光学面１２３が隙間なく配置されうる。光レセプタクル１２０’の天面に形成されている第２凹部１２０２’が第１側面１２０３および第２側面１２０４において外部に開口していることは、光モジュールにおける省スペース化の観点から、好ましい。
【００５０】
なお、変形例１では、第１側面１２０３および第２側面１２０４の近傍にもチャネルが形成されるため、第１嵌合部１２４および第２嵌合部１２５は、光レセプタクル１２０’における光路の妨げとならない位置に配置される。
【００５１】
［変形例２］
上記実施の形態では、送信用の光モジュール１００について説明したが、本発明に係る光モジュールは、この態様に限定されない。たとえば、本発明に係る光モジュールは、受信用の光モジュールであってもよい。以下、本実施の形態の変形例２に係る光モジュール１００”について説明する。受信用の光モジュール１００”の構成は、光電変換素子１１２を除いて送信用の光モジュール１００の構成と同様であり（図１参照）、受信用の光モジュールの機能のみが送信用の光モジュール１００の機能と異なる。そこで、同一の構成要素については、同一の符号を付してその説明を省略する。
【００５２】
受信用の光モジュール１００”として機能する部分には、光電変換素子１１２として、受光素子が基板１１１上に配置されている。
【００５３】
受光素子は、光伝送体１３０の端面から出射され、光レセプタクル１２０の内部を通った第２出射光Ｌ２を受光する。より具体的には、受光素子は、光電変換面（受光面）で第２出射光Ｌ２を受光する。受光素子の数および位置は、特に限定されない。受光素子は、例えば、フォトダイオード（ＰＤ）である。
【００５４】
変形例２に係る光レセプタクル１２０は、光伝送体１３０の端面から出射された第２出射光Ｌ２を光電変換素子１１２（受光素子）に向けて出射する。
【００５５】
以下、受信用の光モジュール１００”における光レセプタクル１２０の光学面（第１光学面１２１、反射面１２２、および第２光学面１２３）の機能について説明する。
【００５６】
第２光学面１２３は、光伝送体１３０の端面から出射された第２出射光Ｌ２を光レセプタクル１２０内に入射させる。このとき、第２光学面１２３は、光伝送体１３０の端面から出射された第２出射光Ｌ２を屈折させながら光レセプタクル１２０内に入射させて、コリメート光に変換させる。このとき、第２光学面１２３の中心軸は、光伝送体１３０の端面から出射された第２出射光Ｌ２の光軸と一致していることが好ましい。本実施の形態では、第２光学面１２３の中心軸と、第２出射光Ｌ２の光軸とは、一致している。
【００５７】
反射面１２２は、第２光学面１２３で光レセプタクル１２０内に入射した第２出射光Ｌ２を第１光学面１２１に向けて反射させる。
【００５８】
第１光学面１２１は、光伝送体１３０の端面から出射され、光レセプタクル１２０の内部を通った第２出射光Ｌ２を光電変換素子（受光素子）１１２に向けて出射させる。このとき、第１光学面１２１は、第２出射光Ｌ２を収束させつつ、光電変換素子１１２の光電変換面に向けて出射させる。
【００５９】
なお、第２勘合部１２５は、第２出射光Ｌ２の光路を挟んで第１側面１２０３（変形例２では、左側面）と対向する第２側面１２０４（変形例２では、右側面）のうちの、第１勘合部１２４に対向する位置に配置されている。
【００６０】
次に、光モジュール１００”における光路について説明する。
【００６１】
光伝送体１３０の端面から出射された第２出射光Ｌ２は、第２光学面１２３で光レセプタクル１２０内に入射する。このとき、第２出射光Ｌ２は、第２光学面１２３によってコリメート光に変換される。次いで、第２光学面１２３で光レセプタクル１２０内に入射した第２出射光Ｌ２は、反射面１２２で第１光学面１２１に向けて反射する。第１光学面１２１に到達した第２出射光Ｌ２は、第１光学面１２１で光レセプタクル１２０外に出射され、光電変換素子（受光素子）１１２の光電変換面（受光面）に到達する。
【００６２】
以上のように、本実施の形態に係る光レセプタクル１２０は、光電変換素子１１２と光伝送体１３０の端面とを光学的に適切に結合させることができる。
【００６３】
なお、上記実施の形態および上記変形例２では、送信用の光モジュール１００および受信用の光モジュール１００”について説明したが、本発明の光モジュールは、この態様に限定されない。たとえば、光モジュールは、送信用の光モジュールとして機能する部分と、受信用の光モジュールとして機能する部分とを有する送受信用の光モジュールであってもよい。
【００６４】
また、上記実施の形態では、反射面１２２を有する光レセプタクル１２０について説明したが、本発明に係る光レセプタクルは、この態様に限定されない。たとえば、光レセプタクル１２０は、反射面１２２を有していなくてもよい。この場合、第１光学面１２１および第２光学面１２３は、光レセプタクル１２０において互いに反対側に配置される。そして、送信用の光モジュールとして機能する部分では、光電変換素子（発光素子）から出射された第１出射光Ｌ１は、第１光学面１２１で光レセプタクル１２０内に入射した後、反射面１２２で反射されることなく第２光学面１２３で光レセプタクル１２０外に出射され、光伝送体１３０の端面に到達する。一方、受信用の光モジュールとして機能する部分では、光伝送体１３０の端面から出射された第２出射光Ｌ２は、第２光学面１２３で光レセプタクル１２０内に入射した後、反射面１２２で反射されることなく第１光学面１２１で光レセプタクル１２０外に出射され、光電変換素子（受光素子）１１２の光電変換面に到達する。
【００６５】
さらに、反射面１２２上に、光反射率が高い金属（例えば、ＡｌやＡｇ、Ａｕなど）の薄膜からなる反射膜を形成してもよい。部品点数の削減を優先させたい場合には、全反射面のみを利用した構成を採用することが好ましい。
【産業上の利用可能性】
【００６６】
本発明に係る光レセプタクルおよび光モジュールは、例えば光伝送体を用いた光通信に有用である。
【符号の説明】
【００６７】
１００、１００”  光モジュール
１１０  光電変換装置
１１１  基板
１１２  光電変換素子
１２０、１２０’  光レセプタクル
１２０１  第１凹部
１２０２、１２０２’  第２凹部
１２１  第１光学面
１２２  反射面
１２３  第２光学面
１２４  第１嵌合部
１２５  第２嵌合部
１３０  光伝送体
Ｌ１  第１出射光
Ｌ２  第２出射光
【図１】
2017161579.tif 000003
【図２】
2017161579.tif 000004
【図３】
2017161579.tif 000005
【図４】
2017161579.tif 000006